(57)【特許請求の範囲】
【請求項１】
光伝送路にラマン利得を与えるラマン増幅器と、
前記光伝送路において前記ラマン利得を受ける光であって前記光伝送路における信号光波長帯域の中心波長を含む帯域の光である第１の光と前記ラマン利得を受けない光であって前記信号光波長帯域よりも長波長側の帯域の光である第２の光とを前記光伝送路へ送信する送信手段と、
前記ラマン増幅器を停止するとともに、前記第１の光の送信光パワーを前記ラマン利得に応じて増加制御する制御手段と、
前記光伝送路の損失特性の基準を求めるのに用いられる、前記第１の光に関する前記光伝送路の入出力光パワーを、前記ラマン増幅器が停止された状態で測定する第１の測定手段と、
前記基準の変動量を求めるのに用いられる、前記第２の光に関する前記光伝送路の入出力光パワーを測定する第２の測定手段と、
をそなえたことを特徴とする、光通信システム。
【請求項２】
前記長波長側の帯域の光は、前記ラマン利得に関する情報を伝送するのに用いられる波長の光である、ことを特徴とする、請求項１記載の光通信システム。
【請求項３】
光伝送路にラマン利得を与えるラマン増幅器をそなえた光通信システムにおける光伝送路の測定方法であって、
前記光伝送路において前記ラマン利得を受ける光であって前記光伝送路における信号光波長帯域の中心波長を含む帯域の光である第１の光と前記ラマン利得を受けない光であって前記信号光波長帯域よりも長波長側の帯域の光である第２の光とを前記光伝送路へ送信する過程と、
前記ラマン増幅器を停止するとともに、前記第１の光の送信光パワーを前記ラマン利得に応じて増加制御する過程と、
前記光伝送路の損失特性の基準を求めるのに用いられる、前記第１の光に関する前記光伝送路の入出力光パワーを、前記ラマン増幅器が停止された状態で測定する過程と、
前記基準の変動量を求めるのに用いられる、前記第２の光に関する前記光伝送路の入出力光パワーを測定する過程と、
を有することを特徴とする、光通信システムにおける光伝送路の測定方法。
【請求項４】
送信局としての光伝送装置から光伝送路を介して受信局としての光伝送装置へ光を伝送する光通信システムにおける前記送信局であって、
前記光伝送路においてラマン増幅器によるラマン利得を受ける光であって前記光伝送路における信号光波長帯域の中心波長を含む帯域の光である第１の光と前記ラマン利得を受けない光であって前記信号光波長帯域よりも長波長側の帯域の光である第２の光とを前記光伝送路へ送信する送信手段と、
前記ラマン増幅器が停止制御されるのに伴って、前記第１の光の送信光パワーを前記ラマン利得に応じて増加制御する制御手段と、
前記光伝送路の損失特性の基準を求めるのに用いられる、前記第１の光に関する前記光伝送路への入力光パワーを、前記ラマン増幅器が停止された状態で測定する第１の送信光測定手段と、
前記基準の変動量を求めるのに用いられる、前記第２の光に関する前記光伝送路への入力光パワーを測定する第２の送信光測定手段と、
をそなえたことを、特徴とする、送信局。
【請求項５】
前記制御手段は、
自局のラマン増幅器の有無に関する情報、又は、前記受信局から通知されるラマン増幅器の有無に関する情報に基づいて、前記増加制御の要否を判断する、ことを特徴とする、請求項４記載の送信局。
【請求項６】
前記制御手段は、
前記自局のラマン増幅器のラマン利得に関する情報、又は、前記受信局から通知されるラマン増幅器のラマン利得に関する情報を基に、前記増加制御の量を決定する、ことを特徴とする、請求項５記載の送信局。
【請求項７】
送信局としての光伝送装置から光伝送路を介して受信局としての光伝送装置へ光を伝送する光通信システムにおける前記受信局であって、
前記光伝送路にラマン利得を与えるラマン増幅器と、
前記ラマン増幅器を停止制御する制御手段と、
前記光伝送路において前記ラマン利得を受ける光であって前記光伝送路における信号光波長帯域の中心波長を含む帯域の光である第１の光と前記ラマン利得を受けない光であって前記信号光波長帯域よりも長波長側の帯域の光である第２の光とを前記送信局から受信する受信手段と、
前記光伝送路の損失特性の基準を求めるのに用いられる、前記第１の光に関する前記光伝送路の出力光パワーを、前記停止制御に伴って前記送信局が前記第１の光の送信光パワーを増大制御し、かつ、前記ラマン増幅器が停止された状態で測定する第１の受信光測定手段と、
前記基準の変動量を求めるのに用いられる、前記第２の光に関する前記光伝送路の出力光パワーを測定する第２の受信光測定手段と、
をそなえたことを特徴とする、受信局。
【発明の詳細な説明】
【技術分野】
【０００１】
本件は、光通信システム及び同システムにおける光伝送路の測定方法並びに送信局及び受信局に関する。本件は、例えば、ラマン増幅器が用いられる光通信システムに適用される場合がある。
【背景技術】
【０００２】
近年、端局や中継局などの光伝送装置においては、オペレータの操作性向上や設定の自動化を一つの目的として、他の光伝送装置との伝送区間（スパン）の光伝送路の損失（スパンロス）を自動的に測定し、表示する機能を有することが求められる場合がある。
【０００３】
このスパンロス測定機能は、運用中の外的な要因によるスパンロスの変動をオペレータに知らせる機能を有し、初期立上げ時に、ネットワーク設計段階での理論上のスパンロスと、実際のスパンロスとが整合しているか、または、光伝送装置の入出力仕様に見合った光レベルになっているかどうか等の確認のために用いられることがある。
【０００４】
スパンロスの測定方法の一例としては、送信局、受信局にフォトダイオード（ＰＤ）をそなえ、送信局の光出力レベルと受信局の光入力レベルとの差分を算出することで、スパンロスの測定を行なう方法が挙げられる。
【０００５】
また、スパンロスの波長依存性や、信号光のない状態でのスパンロス測定を考慮した測定方法も知られている。この測定方法では、光通信システムの初期立上げ時に、amplified spontaneous emission（ＡＳＥ）光及びoptical supervisory channel（ＯＳＣ、監視制御）光を利用して、ＡＳＥ光及びＯＳＣ光に基づく基準スパンロスをそれぞれ測定する。そして、光通信システムの運用中に、ＯＳＣ光を利用して算出される、前記ＯＳＣ基準スパンロスとの差分（スパンロス変動量）を、前記ＡＳＥ基準スパンロスに加算する。
【特許文献１】特開２００７−２５１６８３号公報
【発明の開示】
【発明が解決しようとする課題】
【０００６】
波長多重光増幅中継伝送システム（以下、ＷＤＭシステムという）などの光通信システムにおいては、erbium doped fiber amplifier（ＥＤＦＡ、エルビウム添加光ファイバ増幅器）等の光ファイバ増幅器に加えて、光伝送路における誘導ラマン散乱現象を利用してＷＤＭ光の増幅を補助的に行なうdistributed Raman amplifier（ＤＲＡ、分布ラマン増幅器）が用いられる場合がある。
【０００７】
しかし、上述した従来例は、ＤＲＡが用いられていない光通信システムにおけるスパンロスの測定方法について言及するに留まる。
【０００８】
本件の目的の一つは、ＤＲＡを用いる光通信システムにおいてもスパンロスを精度良く測定できるようにすることにある。
【０００９】
なお、前記目的に限らず、後述する実施形態に示す各構成により導かれる作用効果であって、従来の技術によっては得られない作用効果を奏することも他の目的の一つとして位置付けることができる。
【課題を解決するための手段】
【００１０】
例えば、以下の手段を用いる。
（１）光伝送路にラマン利得を与えるラマン増幅器と、前記光伝送路において前記ラマン利得を受ける光であって前記光伝送路における信号光波長帯域の中心波長を含む帯域の光である第１の光と前記ラマン利得を受けない光であって前記信号光波長帯域よりも長波長側の帯域の光である第２の光とを前記光伝送路へ送信する送信手段と、前記ラマン増幅器を停止するとともに、前記第１の光の送信光パワーを前記ラマン利得に応じて増加制御する制御手段と、前記光伝送路の損失特性の基準を求めるのに用いられる、前記第１の光に関する前記光伝送路の入出力光パワーを、前記ラマン増幅器が停止された状態で測定する第１の測定手段と、前記基準の変動量を求めるのに用いられる、前記第２の光に関する前記光伝送路の入出力光パワーを測定する第２の測定手段と、をそなえる光通信システムを用いることができる。
【００１１】
（２）光伝送路にラマン利得を与えるラマン増幅器をそなえた光通信システムにおける光伝送路の測定方法であって、前記光伝送路において前記ラマン利得を受ける光であって前記光伝送路における信号光波長帯域の中心波長を含む帯域の光である第１の光と前記ラマン利得を受けない光であって前記信号光波長帯域よりも長波長側の帯域の光である第２の光とを前記光伝送路へ送信する過程と、前記ラマン増幅器を停止するとともに、前記第１の光の送信光パワーを前記ラマン利得に応じて増加制御する過程と、前記光伝送路の損失特性の基準を求めるのに用いられる、前記第１の光に関する前記光伝送路の入出力光パワーを、前記ラマン増幅器が停止された状態で測定する過程と、前記基準の変動量を求めるのに用いられる、前記第２の光に関する前記光伝送路の入出力光パワーを測定する過程と、を有する測定方法を用いることができる。
【００１２】
（３）送信局としての光伝送装置から光伝送路を介して受信局としての光伝送装置へ光を伝送する光通信システムにおける前記送信局であって、前記光伝送路においてラマン増幅器によるラマン利得を受ける光であって前記光伝送路における信号光波長帯域の中心波長を含む帯域の光である第１の光と前記ラマン利得を受けない光であって前記信号光波長帯域よりも長波長側の帯域の光である第２の光とを前記光伝送路へ送信する送信手段と、前記ラマン増幅器が停止制御されるのに伴って、前記第１の光の送信光パワーを前記ラマン利得に応じて増加制御する制御手段と、前記光伝送路の損失特性の基準を求めるのに用いられる、前記第１の光に関する前記光伝送路への入力光パワーを、前記ラマン増幅器が停止された状態で測定する第１の測定手段と、前記基準の変動量を求めるのに用いられる、前記第２の光に関する前記光伝送路への入力光パワーを測定する第２の測定手段と、前記各測定手段による測定結果を前記受信局へ通知する通知手段と、をそなえる送信局を用いることができる。
【００１３】
（４）送信局としての光伝送装置から光伝送路を介して受信局としての光伝送装置へ光を伝送する光通信システムにおける前記受信局であって、前記光伝送路にラマン利得を与えるラマン増幅器と、前記ラマン増幅器を停止制御する制御手段と、前記光伝送路において前記ラマン利得を受ける光であって前記光伝送路における信号光波長帯域の中心波長を含む帯域の光である第１の光と前記ラマン利得を受けない光であって前記信号光波長帯域よりも長波長側の帯域の光である第２の光とを前記送信局から受信する受信手段と、前記光伝送路の損失特性の基準を求めるのに用いられる、前記第１の光に関する前記光伝送路の出力光パワーを、前記停止制御に伴って前記送信局が前記第１の光の送信光パワーを増大制御し、かつ、前記ラマン増幅器が停止された状態で測定する第１の測定手段と、前記基準の変動量を求めるのに用いられる、前記第２の光に関する前記光伝送路の出力光パワーを測定する第２の測定手段と、をそなえる受信局を用いることができる。
【発明の効果】
【００１４】
開示の技術によれば、ＤＲＡを用いる光通信システムにおいてもスパンロスを精度良く測定することが可能である。
【発明を実施するための最良の形態】
【００１５】
以下、図面を参照して実施の形態を説明する。ただし、以下に説明する実施形態は、あくまでも例示であり、以下に明示しない種々の変形や技術の適用を排除する意図はない。即ち、本実施形態は、その趣旨を逸脱しない範囲で種々変形（各実施例を組み合わせる等）して実施することができる。
【００１６】
〔１〕一実施形態
本実施形態では、ＤＲＡを用いたＷＤＭシステム等の光通信システムにおいて、端局や中継局間の光伝送区間（スパン）における光伝送路の損失（スパンロス）特性を測定する際に、ＤＲＡによって信号光や監視制御光に利得が与えられることによる測定誤差を低減する手法について開示する。
【００１７】
光伝送路の損失には、波長依存性があるため、スパンロスは光伝送路を伝送される信号光の波長帯域の中心波長について測定するのが好ましい。システム運用中でない場合、中心波長に相当する波長のスパンロス測定には、ＡＳＥ光を用いることができる。そこで、システム立上げ時等のシステム運用中でない状態において、ＡＳＥ光を用いて中心波長について基準となるスパンロスを測定する。
【００１８】
この測定の際、ＤＲＡが停止していないと、ＤＲＡの利得（ラマン利得）により測定誤差が生じるおそれがある。そこで、ＡＳＥ光による基準スパンロスの測定の際には、ＤＲＡは停止制御するのが好ましい。なお、本例において、ＤＲＡの停止制御とは、ラマン励起光源の駆動を停止することのほか、実質的にスパンロスの測定誤差が生じないレベルまでラマン励起光パワーを低下させる制御も含まれる。
【００１９】
ただし、ＤＲＡを停止すると、そもそもＡＳＥ光が受信局に到達しないか、到達しても受信光レベルが低すぎて精度良く受信光レベルを測定できない可能性もある。そこで、前記ラマン停止制御に応じて、ＡＳＥ光を送信する送信局では、ＡＳＥ光の送信光パワーレベルを、受信局での測定に足りるパワーレベル（高出力モード）に制御（設定）するのが好ましい。
【００２０】
この高出力モードでの送信光パワーレベルは、ＤＲＡの利得（例えば最大利得）に関する情報（以下、ＤＲＡ情報と総称することがある）を基に決定することができる。その際、受信局の入力光パワーレベルの上限値を超えない範囲で決定するのが好ましい。例えば、ＤＲＡを停止することによる利得低下量が７ｄＢなら、高出力モードでは７ｄＢだけＡＳＥ光の送信光パワーレベルを増加制御すればよい。
【００２１】
一方、システム運用中には、信号光の波長帯域以外の波長の光を用いて、スパンロスの変動量を測定する。この変動量の測定に用いる波長として、既述の従来例のようにＯＳＣの波長を選ぶこともできるが、ラマン利得により増幅されてしまう場合がある。
【００２２】
ラマン利得は、ラマン励起光の波長よりも約１００ｎｍ（ナノメートル）だけ長波長側にシフトした波長を中心に現れることが知られている。そのため、図１に例示するように、ＯＳＣ信号の波長を、ラマン励起光の波長よりも長波長側で、かつ、信号光波長帯域の短波長側に選ぶと、ＯＳＣ信号光がラマン利得帯域に含まれてラマン利得によって増幅される場合があるのである。なお、図１において、例えば、ラマン励起光の波長は、１４４０ｎｍ、信号光波長帯域は１５３０〜１５６０ｎｍ、ＯＳＣ波長は１５１０ｎｍである。
【００２３】
そこで、このようなラマン利得帯域から外れた波長を、前記スパンロスの変動量を測定に用いる波長として選べば、ラマン利得の影響を受けずに正確な前記変動量の測定が可能となる。
【００２４】
ここで、信号光波長帯域の高波長側には、図１に例示するように、受信局でのラマン利得を送信局に通知する（送信局がラマン利得を参照する）のに用いられる波長（Optical Auxiliary Channel（ＯＡＣ））の信号光（利得参照光）が波長多重される場合がある。その場合には、このＯＡＣ信号光を利用して前記変動量分を測定することが可能である。なお、ＯＡＣ波長は例えば１６１０ｎｍである。
【００２５】
以下、本例のスパンロス測定方法を実施可能な光通信システムの一例について詳述する。
【００２６】
〔２〕実施例１
図２は、実施例１に係る光通信システムの一例を示すブロック図である。この図２に示す光通信システムは、光伝送装置１０と、光伝送装置３０と、監視制御装置５０と、をそなえる。光伝送装置１０と光伝送装置３０との間は、光伝送路１００，２００により接続され、双方向の光通信が可能である。
【００２７】
すなわち、光伝送装置１０は、光伝送路１００を介して光伝送装置３０へ信号光を送信することができ、光伝送装置３０は、光伝送路２００を介して光伝送装置１０へ信号光を送信することができる。
【００２８】
したがって、光伝送装置１０は、光伝送路１００へ信号光を送信する送信局であるとともに、光伝送路２００から信号光を受信する受信局である。同様に、対向の光伝送装置３０は、光伝送路２００へ信号光を送信する送信局であるとともに、光伝送路１００から信号光を受信する受信局である。これらの光伝送装置１０，３０は、いずれも、端局である場合もあるし中継局である場合もある。
【００２９】
なお、前記信号光は、ユーザデータ信号が重畳された主信号光である場合もあるし、主信号光以外のＯＳＣやＯＡＣ等の信号光である場合もある。また、前記主信号光は、単波長の信号光である場合もあるし、波長多重されたＷＤＭ信号光である場合もある。
【００３０】
そして、光伝送装置１０（３０）は、送信局としての構成に着目すれば、送信系の一例として、光スイッチ部１１１、光増幅器（ポストアンプ）１１２、光カプラ（分岐カプラ）１２１，１２３、受光器の一例としてのフォトダイオード（ＰＤ）１２２，１２４、および、光カプラ（合波カプラ）１２５をそなえる。
【００３１】
一方、受信局としての構成に着目すれば、光伝送装置３０（１０）は、受信系の一例として、光カプラ（合波カプラ）１２６、ラマン励起光源（ＬＤ）１２７、光カプラ（分波カプラ）１２８、光カプラ（分岐カプラ）１２９、受光器の一例としてのＰＤ１３０，１３２、光カプラ（分岐カプラ）１３１、および、光増幅器（プリアンプ）１１３をそなえる。
【００３２】
また、各光伝送装置１０及び３０は、それぞれ、前記送信系及び受信系を制御する制御系（制御手段）の一例としてのＣＰＵ１１４及びＣＰＵ１３３をそなえる。
【００３３】
なお、図２においては、ＥＤＦＡ及びＤＲＡの機能別に光デバイス及びＣＰＵがモジュール化された様子を示している。例示的に、光スイッチ部１１１、ポストアンプ１１２、プリアンプ１１３、および、ＣＰＵ１１４が、ＥＤＦＡモジュール１１（３１）に含まれ、分岐カプラ１２１，１２３，１２８，１３１、ＰＤ１２２，１２４，１３０，１３２、ラマン励起光源（ＬＤ）１２７、および、合波カプラ１２５，１２６が、ＤＲＡモジュール１２（３２）に含まれるものとしている。
【００３４】
各モジュール１１，１２（３１，３２）間は、光ファイバ等で接続される。また、前記送信系において、ＥＤＦＡモジュール１１（３１）の入力端からＤＲＡモジュール１２（３２）を経由して光伝送路１００（２００）に至る経路は光経路である。同様に、光伝送装置３０（１０）の前記受信系において、光伝送路２００（１００）からＤＲＡモジュール３２（１２）を経由してＥＤＦＡモジュール３１（１１）の出力端に至る経路も光経路である。
以下、前記の送信系、受信系、制御系の詳細について説明する。
【００３５】
（２．１）送信系
ＥＤＦＡモジュール１１（３１）において、光スイッチ部１１１は、ポストアンプ１１２への入力光（信号光）を通過又は遮断（ＯＮ／ＯＦＦ）する。このＯＮ／ＯＦＦは、例えばＣＰＵ１１４によって制御される。例示的に、ＯＮ状態に制御されるのは、通常のシステム運用中であり、ＯＦＦ状態に制御されるのは、スパンロス測定モードなどの非システム運用状態である。なお、ポストアンプ１１２への入力光は、単波長の信号光でもよいし、波長多重されたＷＤＭ信号光でもよい。
【００３６】
ポストアンプ１１２は、例えばＥＤＦＡ等の光ファイバ増幅器であり、光スイッチ部１１１がＯＮの状態で入力される信号光（受信局３０（１０）への送信信号光）を、励起光パワーを利用して増幅する。光スイッチ部１１１がＯＦＦの状態では、ポストアンプ１１２は、信号光の入力の無い状態で励起光を増幅し、ＡＳＥ光の発光状態となる。
【００３７】
ＤＲＡモジュール１２（３２）において、分岐カプラ１２１は、ポストアンプ１１２の出力光（パワー）を分岐して、一方をモニタ光としてＰＤ１２２に出力し、他方を光伝送路１００（２００）経由で受信局としての光伝送装置３０（１０）へ送信する信号光として合波カプラ１２５へ出力する。
【００３８】
ＰＤ１２２（第１の送信光測定手段）は、分岐カプラ１２１から入力される光（第１の光）を光電変換してその受光パワーに応じた電気信号（アナログ信号）を生成する。このアナログ信号は、図示しないＡＤ変換器によりディジタル信号に変換される。このディジタル信号は、ポストアンプ１１２の信号光出力パワーレベル、つまりは送信局１０（３０）から光伝送路１００（２００）への信号光（又はＡＳＥ光）の入力パワーレベルのモニタ値（測定値）としてＣＰＵ１３３に与えられる。
【００３９】
合波カプラ１２５は、分岐カプラ１２１から入力されるポストアンプ１１２の出力光、すなわち、受信局としての光伝送装置３０（１０）への送信信号光に、ラマン利得を受けない波長の信号光の一例としての前記ＯＡＣ信号光を合波する。なお、図２において、ＯＡＣ信号光のための光源、光変調器などの図示は省略している。
【００４０】
つまり、上述した光スイッチ部１１１、ポストアンプ１１２、合波カプラ１２５は、光伝送路１００（２００）でラマン利得を受けるＡＳＥ光（信号光でもよい）とラマン利得を受けないＯＡＣ信号光とを光伝送路１００（２００）へ送信する送信手段の一例として用いられる。
【００４１】
分岐カプラ１２３は、上記ＯＡＣ信号光（パワー）の一部を分岐して送信ＯＡＣ信号光パワーのモニタ光としてＰＤ１２４へ出力する。
【００４２】
ＰＤ１２４（第２の送信光測定手段）は、この分岐カプラ１２３から入力されるＯＡＣ信号光（第２の光）のモニタ光を光電変換してその受光パワーに応じた電気信号（アナログ信号）を生成する。このアナログ信号も、図示しないＡＤ変換器によりディジタル信号に変換されて、光伝送路１００（２００）への送信ＯＡＣ信号光パワーレベルのモニタ値（測定値）としてＣＰＵ１３３に与えられる。
【００４３】
（２．２）受信系
ＤＲＡモジュール３２（１２）において、合波カプラ１２６は、ラマン励起光源（ＬＤ）１２７が発生したラマン励起光を受信局としての光伝送装置１０（３０）への光伝送路１００（２００）へ導入して、光伝送路１００（２００）においてラマン利得を生じさせる。
【００４４】
分波カプラ１２８は、光伝送路１００（２００）を介して受信される、送信局としての光伝送装置１０（３０）が送信したＯＡＣ信号光を分波して分岐カプラ１２９へ出力する。ＯＡＣ信号光以外の信号光は、プリアンプ１１３側（分岐カプラ１３１）へ出力される。
【００４５】
分岐カプラ１２９は、分波カプラ１２８から入力されるＯＡＣ信号光（パワー）の一部を分岐して、受信ＯＡＣ信号光パワーレベルのモニタ光としてＰＤ１３０に入力する。
【００４６】
ＰＤ（第２の受信光測定手段）１３０は、当該モニタ光を光電変換してその受光パワーに応じた電気信号（アナログ信号）を生成する。このアナログ信号も、図示しないＡＤ変換器によりディジタル信号に変換されて、光伝送路１００（２００）からの受信ＯＡＣ信号光パワーレベルのモニタ値（測定値）としてＣＰＵ１３３に与えられる。
【００４７】
分岐カプラ１３１は、分波カプラ１２８から入力される、前記ＯＡＣ信号光以外の信号光（パワー）の一部を分岐して、送信局としての光伝送装置１０（３０）からの受信信号光パワーのモニタ光としてＰＤ１３２に入力する。
【００４８】
ＰＤ１３２（第１の受信光測定手段）は、当該モニタ光を光電変換してその受光パワーに応じた電気信号（アナログ信号）を生成する。このアナログ信号も、図示しないＡＤ変換器によりディジタル信号に変換されて、光伝送路１００（２００）からの信号光（又はＡＳＥ光）の入力パワーレベルのモニタ値（測定値）としてＣＰＵ１３３に与えられる。
【００４９】
ＥＤＦＡモジュール３１（１１）において、プリアンプ１１３も、例えばＥＤＦＡ等の光ファイバ増幅器である。このプリアンプ１１３は、送信局としての光伝送装置１０（３０）から光伝送路２００（１００）を介して受信される信号光を、励起光パワーを利用して増幅する。
【００５０】
つまり、上記の分波カプラ１２８及び分岐カプラ１３１は、光伝送路１００（２００）でラマン利得を受けるＡＳＥ光（又は信号光）とラマン利得を受けないＯＡＣ信号光とを送信局１０（３０）から受信する受信手段の一例として用いられる。
【００５１】
以上のように、送信局としての光伝送装置１０（３０）においては、送信信号光（ＡＳＥ光）出力パワーレベルをＰＤ１２２で、送信ＯＡＣ信号光パワーレベルをＰＤ１２４で、それぞれ測定することが可能であり、受信局としての光伝送装置３０（１０）においては、受信信号光（ＡＳＥ光）入力パワーレベルをＰＤ１３２で、受信ＯＡＣ信号光パワーレベルをＰＤ１３０で、それぞれ測定することが可能である。
【００５２】
つまり、送信側ＰＤ１２２及び受信側ＰＤ１３２は、光伝送路１００（２００）でラマン利得を受ける第１の光の一例としてのＡＳＥ光（又は信号光）に関する光伝送路１００（２００）の入出力パワーレベルを測定する第１の測定手段の一例として用いられる。
【００５３】
また、送信側ＰＤ１２４及び受信側ＰＤ１３０は、光伝送路１００（２００）でラマン利得を受けない第２の光の一例としてのＯＡＣ信号光に関する光伝送路１００（２００）の入出力パワーレベルを測定する第２の測定手段の一例として用いられる。
【００５４】
これらの測定結果は、最終的には、監視制御装置５０での光伝送路１００（２００）の損失特性（スパンロス）の監視（算出）に用いられる。
【００５５】
なお、送信信号光出力パワーレベルを測定するポイント（ＰＤ１２２）及び受信信号光入力パワーレベルを測定するためのポイント（ＰＤ１３２）は、ＥＤＦＡモジュール１１（３１）内としてもよいが、ＥＤＦＡモジュール１１（３１）とＤＲＡモジュール１２（３２）との間のファイバ損失の影響を除去あるいは低減するために、図２に例示するように、ＤＲＡモジュール１２（３２）内とするのが好ましい。
【００５６】
また、ＰＤ１２２，１２４，１３０，１３２を用いて測定されたパワーレベル（モニタ値）は、予めそれぞれのＰＤから光伝送路１００（２００）の入出力端までの損失を測定しておき、その損失を差分として各ＰＤのモニタ値に加算あるいは減算することにより、光伝送路１００（２００）の入出力端の光パワーレベルに変換（換算）することが可能である。これにより、より正確なスパンロスの測定が可能となる。
【００５７】
（２．３）制御系
ＥＤＦＡモジュール１１（３１）のＣＰＵ１１４は、光スイッチ部１１１のＯＮ／ＯＦＦ制御や、ポストアンプ１１２、プリアンプ１１３の励起光パワー（利得）の制御を行なう。
【００５８】
ＤＲＡモジュール１２（３２）のＣＰＵ１３３は、ＯＡＣ信号光に載せるＯＡＣ信号（フレーム）の生成や、ラマン励起光源１２７の出力光パワー（ラマン励起光パワー）の制御、受信ＯＡＣ信号の内容に応じた制御などを行なう。
【００５９】
ＣＰＵ１１４及び１３３は、互いに通信（ＣＰＵ間通信）が可能である。例示的に、受信局３０（１０）のＣＰＵ１３３は、初期立上げ時等に、送信局１０（３０）との間の基準スパンロスを測定する場合、基準スパンロスの測定開始（スパンロス測定モード要求）を送信局１０（３０）へ通知する情報を生成する。また、これとともに、ＣＰＵ１３３は、スパンロス測定対象の光伝送路１００（２００）へラマン励起光を送信するラマン励起光源１２７を停止（あるいは出力パワーを低下制御）する。
【００６０】
前記スパンロス測定モード要求には、例えば、受信局３０（１０）のＤＲＡ（光伝送路１００（２００）へのラマン励起光）の有無に関する情報や、当該ＤＲＡの利得に関する情報などのＤＲＡ情報を含めることができる。送信局１０（３０）（例えばＣＰＵ１３３）は、前者の情報を基に、前記高出力モードの設定の要否を判断することができ、また、後者の情報を基に、高出力モードで必要なＡＳＥ光の出力パワーレベルを把握することができる。
【００６１】
なお、前記スパンロス測定モード要求は、例えば、ＯＡＣ（又はＯＳＣでもよい）の信号光として対向の光伝送路２００（１００）を介して送信局１０（３０）へ伝送することができる。ＯＡＣ信号光は、対向の送信局１０（３０）のラマン励起光源１２７を駆動しない状態でも送信局１０（３０）に到達できる場合がある。ただし、到達できない場合があることを考慮して、対向の送信局１０（３０）のラマン励起光源１２７は駆動してもよい。
【００６２】
一方、送信局１０（３０）のＣＰＵ１３３は、対向の受信局３０（１０）から受信したＯＡＣ（又はＯＳＣ）信号の内容が、スパンロス測定モードの要求であると、ＣＰＵ１１４と連携して、光スイッチ部１１１をＯＦＦ制御する。また、ＣＰＵ１３３は、ＯＡＣ信号光により通知されたＤＲＡ情報を基に、受信局１０（３０）にＤＲＡが実装されているか否かを確認する。ＤＲＡの実装が確認されると、ＣＰＵ１３３は、ＤＲＡ情報（ラマン利得に関する情報）を基に、ポストアンプ１１２を高出力モードに制御（設定）する。高出力モードでの出力光パワーレベルは、既述のように、ＡＳＥ光（又は信号光）の受光パワーレベルを受信局３０（１０）で測定可能なパワーレベルである。
【００６３】
なお、図２に例示するように、双方向の光通信について双方向のＤＲＡの仕様が決められているシステムの場合、前記ＤＲＡ情報は、自局１０（３０）の対向方路である光伝送路２００（１００）に関するＤＲＡの実装情報から推定することも可能である。この点は、以降においても同様である。
【００６４】
また、送信局１０（３０）のＣＰＵ１３３は、ＰＤ１２２，１２４で得られた測定値（モニタ値）を受信局３０（１０）へ通知する通知手段としての機能も有する。例えば、初期立上げ時などにおける基準スパンロスの測定時においては、ＰＤ１２２及びＰＤ１２４により得られた測定値（ＡＳＥ及びＯＡＣの送信光パワーレベル）を受信局３０（１０）へ通知する。また、基準スパンロスの変動量を測定する場合（通常運用開始後）においては、ＰＤ１２４により得られた測定値（ＯＡＣの送信光パワーレベル）を受信局３０（１０）へ通知する。これらの通知は、それぞれＯＡＣ信号光を用いて行なうことができる。
【００６５】
一方、受信局３０（１０）のＣＰＵ１３３は、ＰＤ１３０，１３２で得られた測定値（モニタ値）を監視制御装置５０へ通知する測定結果通知手段としての機能も有する。例えば、初期立上げ時などにおける基準スパンロスの測定時においては、ＰＤ１３０及びＰＤ１３２により得られた測定値（ＡＳＥ及びＯＡＣの受信光パワーレベル）を監視制御装置５０へ通知する。また、基準スパンロスの変動量を測定する場合（通常運用開始後）においては、ＰＤ１３０により得られた測定値（ＯＡＣの受信光パワーレベル）を監視制御装置５０へ通知する。
【００６６】
この測定結果通知手段の一例としてのＣＰＵ１３３は、送信局１０（３０）から通知されるＰＤ１２２，１２４での測定値を監視制御装置５０へ通知することもできる。
【００６７】
（２．４）監視制御装置５０
監視制御装置（監視手段）５０は、光通信システムのエンティティである光伝送装置１０，３０の監視、制御を行なう装置である。なお、図１には、光伝送装置３０についての監視制御装置５０を図示し、光伝送装置１０についての監視制御装置５０の図示は省略している。
【００６８】
監視制御装置５０は、送信局１０（３０）のＰＤ１２２及び１２４により得られるモニタ値と、受信局３０（１０）のＰＤ１３０及び１３２により得られるモニタ値とに基づいて、光伝送路１００（２００）のスパンロスを測定、算出する。
【００６９】
すなわち、送信側ＰＤ１２２及び受信側ＰＤ１３２によるＡＳＥ光のモニタ値を基に基準スパンロスを算出し、送信側ＰＤ１２４及び受信側ＰＤ１３０のＯＡＣ信号光のモニタ値を基に基準スパンロスに対する変動量を算出することができる。
【００７０】
なお、送信局１０（３０）のＰＤ１２２及び１２４のモニタ値については、上述したように、ＯＡＣ信号光を用いて受信３０（１０）へ通知することができるから、監視制御装置５０は、当該受信局３０（１０）から取得可能である。
【００７１】
ただし、監視制御装置５０が、各光伝送装置１０，３０の双方の監視、制御が可能な装置である場合には、各光伝送装置１０，３０からそれぞれ前記モニタ値を個別的、直接的に取得することが可能である。
【００７２】
また、監視制御装置５０は、前記測定、算出したスパンロスの情報や、スパンロスの変動量に関する警報情報等を発出することも可能である。
【００７３】
なお、上述した監視制御装置５０の機能は、光伝送装置１０（３０）の一機能、例えば、ＣＰＵ１３３の一機能として組み込むことも可能である。
【００７４】
（２．５）スパンロス測定方法
以下、上述した光通信システムにおけるスパンロスの測定方法の一例を、図３を参照しながら説明する。
【００７５】
（２．５．１）初期立上げ時〔図３（Ａ）〕
まず、初期立上げ時などにおいて、ＡＳＥ光を用いて光伝送路１００（２００）の基準スパンロスの測定を行なう。
【００７６】
受信局３０（１０）は、送信局１０（３０）へ向かう対向側のＯＡＣ信号光を用いて、スパンロス測定モードの要求、ＤＲＡ情報などを送信局１０（３０）に送信する。また、受信局３０（１０）は、光伝送路１００（２００）へのＤＲＡ（ラマン励起光源１２７）の駆動を停止する。
【００７７】
送信局１０（３０）では、前記ＯＡＣ信号光により受信した情報をＤＲＡモジュール１２（３２）のＣＰＵ１３３からＥＤＦＡモジュール１１（３１）のＣＰＵ１１４へ伝達する。
【００７８】
ＣＰＵ１１４は、受信局３０（１０）からのスパンロス測定モードの要求を認識すると、光スイッチ部１１１をＯＦＦ状態に制御する。また、ＣＰＵ１１４は、ポストアンプ１１２を高出力モードに制御（設定）する。その際、ＣＰＵ１１４は、前記ＤＲＡ情報を基に、ポストアンプ１１２の出力光パワー（励起光パワー）を決定する。例えば、ＣＰＵ１１４は、光伝送路１００（２００）においてラマン利得が実質的に無い状態でも受信局３０（１０）がＡＳＥ光の受光パワーをモニタできるパワーに、ポストアンプ１１２の出力光パワー（励起光パワー）を制御する。これにより、ポストアンプ１１２からは、ＡＳＥ光を基準にしたスパンロス測定を可能にする出力パワーレベルのＡＳＥ光が送出される〔図３（Ａ）の処理１００１〕。
【００７９】
そして、ＤＲＡモジュール１２（３２）では、ＣＰＵ１３３が、ＰＤ１２２によるＡＳＥ光出力パワーレベルのモニタ値（PD1ref）を取得し、これを受信局３０（１０）宛のＯＡＣ信号を用いて光伝送路１００（２００）経由で受信局３０（１０）へ送信する。
【００８０】
受信局３０（１０）では、ＤＲＡモジュール３２（１２）のＣＰＵ１３３において、前記ＯＡＣ信号により通知されたモニタ値（PD1ref）と、ＰＤ１３２により得られる受信ＡＳＥ光の入力パワーレベルのモニタ値（PD3ref）とを取得する。そして、ＣＰＵ１３３は、取得したモニタ値を監視制御装置５０に通知する。
【００８１】
監視制御装置５０は、通知された各モニタ値を基に、ＡＳＥ光を基準にした基準スパンロス（signal span loss reference）を求める。すなわち、監視制御装置５０は、下記の式（１）により、ＡＳＥ基準スパンロスを算出する。
【００８２】
ＡＳＥ基準スパンロス＝PD1ref−PD3ref  …（１）
【００８３】
このＡＳＥ基準スパンロスは、ＤＲＡを停止した状態で測定されるから、ラマン利得の影響が無く、実際のスパンロスと精度良く合致するスパンロスといえる。
【００８４】
監視制御装置５０は、求めたＡＳＥ基準スパンロスを図示しないメモリ等に保持する〔図３（Ａ）の処理１００２〕。
【００８５】
一方、送信局１０（３０）では、ＡＳＥ基準スパンロスに対する変動量の基準となるスパンロスを、ＯＡＣ信号光を用いて測定するために、ＯＡＣ信号光の送信も行なう。その際、このＯＡＣ信号光は信号光波長帯域の光よりも伝送距離が長い傾向にあるので、対向の受信局３０（１０）のＤＲＡ（ラマン励起光源１２７）は駆動されていないくてもよい。ＤＲＡを駆動しないと受信局３０（１０）での測定が困難になるおそれがある場合には、受信局３０（１０）のＤＲＡを駆動することができる。
【００８６】
そして、送信局１０（３０）のＤＲＡモジュール１２（３２）では、ＣＰＵ１３３が、ＰＤ１２４による送信ＯＡＣ光パワーレベルのモニタ値（PD2ref）を取得し、これを受信局３０（１０）宛のＯＡＣ信号を用いて光伝送路１００（２００）経由で受信局３０（１０）へ送信する。このモニタ値（PD2ref）は、前記ＡＳＥ光出力パワーレベルのモニタ値（PD1ref）とともに送信してもよいし、個別に送信してもよい。
【００８７】
受信局３０では、ＤＲＡモジュール３２（１２）のＣＰＵ１３３において、前記ＯＡＣ信号により通知されたモニタ値（PD2ref）と、ＰＤ１３０により得られる受信ＯＡＣ信号光パワーレベルのモニタ値（PD4ref）とを取得する。そして、ＣＰＵ１３３は、取得したモニタ値を監視制御装置５０に通知する。
【００８８】
監視制御装置５０は、通知されたモニタ値を基に、ＯＡＣ基準の基準スパンロス（OAC span loss reference）を求める。すなわち、監視制御装置５０は、下記の式（２）により、ＯＡＣ基準スパンロスを算出する。
【００８９】
ＯＡＣ基準スパンロス＝PD2ref−PD4ref  …（２）
【００９０】
そして、監視制御装置５０は、求めたＯＡＣ基準スパンロスを前記メモリ等に保持する〔図３（Ａ）の処理１００３〕。
【００９１】
以上の処理により、ＡＳＥ基準スパンロスと、ＯＡＣ基準スパンロスとが、監視制御装置５０にて保持、管理されることになる。
【００９２】
（２．５．２）通常運用時〔図３（Ｂ）〕
次に、システムが通常の運用状態に移行すると、送信局１０（３０）は、ＣＰＵ１１４の指示により、光スイッチ部１１１をＯＮ状態に制御するとともに、ポストアンプ１１２の励起光パワー（利得）を制御して、出力光レベル（モード）を通常運用時のレベル（モード）に設定する。
【００９３】
そして、送信局１０（３０）及び受信局３０（１０）は、スパンロスの変動量を、ＯＡＣ信号光を用いて測定する。なお、通常運用時には、信号光波長帯域で伝送される信号光の数（運用波長数）が０の状態も含まれる（以降において同様）。
【００９４】
送信局１０（３０）では、ＤＲＡモジュール１２（３２）のＣＰＵ１３３において、ＰＤ１２４による送信ＯＡＣ光パワーレベルのモニタ値（PD2）を取得し、これを受信局３０（１０）宛のＯＡＣ信号光を用いて光伝送路１００（２００）経由で受信局３０（１０）へ送信する。
【００９５】
受信局３０では、ＤＲＡモジュール３２（１２）のＣＰＵ１３３において、前記ＯＡＣ信号により通知されたモニタ値（PD2）と、ＰＤ１３０により得られる受信ＯＡＣ信号光パワーレベルのモニタ値（PD4）とを取得する。そして、ＣＰＵ１３３は、取得したモニタ値を監視制御装置５０へ通知する。
【００９６】
監視制御装置５０は、通知されたモニタ値を基に、ＯＡＣ信号光を用いたスパンロスを求める。すなわち、監視制御装置５０は、下記の式（３）により、ＯＡＣスパンロスを算出する〔図３（Ｂ）の処理１００４〕。
【００９７】
ＯＡＣスパンロス＝PD2−PD4  …（３）
【００９８】
そして、監視制御装置５０は、保持しておいた前記ＯＡＣ基準スパンロスと、求めたＯＡＣスパンロスとの差分（変動量）を求める。本例において、スパンロスの変動量は、ラマン利得の影響を受けない波長帯域のＯＡＣを用いて測定されるから、ＤＲＡが起動された状態においても、正確な変動量を測定することが可能である。
【００９９】
監視制御装置５０は、下記の式（４）に示すように、求めた差分を前記ＡＳＥ基準スパンロスに加算することで、通常運用時の信号光波長帯域の中心波長に相当するスパンロスを求める〔図３（Ｂ）の処理１００５〕。
スパンロス＝ＡＳＥ基準スパンロス＋（ＯＡＣスパンロス−ＯＡＣ基準スパンロス）
…（４）
なお、信号光波長帯域は例えば１５３０〜１５６０ｎｍであり、その中心波長は例えば１５４５〜１５５０ｎｍである（以降、同様）。
【０１００】
そして、監視制御装置５０は、必要に応じて、この式（４）により求めたスパンロスや、当該スパンロスの変動量に関する警報情報等を発出する。
【０１０１】
以上のように、本例によれば、ＤＲＡを停止した状態で送信局１０（３０）のポストアンプ１１２から高出力モードでＡＳＥ光を受信局３０（１０）へ送信するから、受信局３０（１０）においては、ラマン利得に影響されずに、ＡＳＥ光の受信光レベルを精度良く測定することができる。したがって、信号光波長帯域の中心波長について基準となるスパンロス（ＡＳＥ）を精度良く測定することが可能である。
【０１０２】
そして、ラマン利得の影響を受けない波長帯域の光の一例としてのＯＡＣ信号光を利用して、通常運用前のＯＡＣ基準スパンロスと、通常運用時の変動量とを測定し、その測定結果を基に、前記中心波長に相当する基準スパンロスを適時に補正することができる。したがって、通常運用中においても、より正確なスパンロスを測定することができ、スパンロスの波長依存性に起因する運用波長数や波長配置の変化に伴う測定誤差を極力小さくすることができる。
【０１０３】
〔３〕実施例２
基準スパンロスを測定するのに用いる光は、実施例１のようにＡＳＥ光に限られない。例えば、ＡＳＥ光の代わりに、光伝送路１００（２００）のロスが定義されている波長（中心波長）の信号光を用いてもよいし、波長可変光源で生成した任意波長の信号光を用いてもよい。
【０１０４】
図４に波長可変光源を用いる例を示す。この図４には、波長可変光源８０で生成した任意波長の信号光を、optical add-drop multiplexer（ＯＡＤＭ、光分岐挿入装置）７０のＯＡＤＭ部７０１に入力し、このＯＡＤＭ部７０１から既述の光スイッチ部１１１（ポストアンプ１１２）に入力する構成を例示している。
【０１０５】
この構成によれば、基準スパンロスの測定に用いる波長（中心波長）を適宜変更することが可能となる。また、高出力モード時においてＣＰＵ１１４によって光スイッチ部１１１をＯＮ状態に制御すれば、ポストアンプ１１２への入力光パワーが増加する。したがって、実施例１のようにポストアンプ１１２を無入力状態にして発光させる場合に比して、高出力モード時に要する励起光パワーを低減することが可能である。
【０１０６】
以下に、本例でのスパンロス測定を説明する。
【０１０７】
（３．１）初期立上げ時〔図４（Ａ）〕
まず、本例においても、初期立上げ時などにおいて、受信局３０（１０）は、送信局１０（３０）へ向かう対向側のＯＡＣ信号光を用いて、スパンロス測定モードの要求、ＤＲＡ情報などを送信局１０（３０）に送信する。また、受信局３０（１０）は、ＤＲＡ（ラマン励起光源１２７）を停止する。
【０１０８】
送信局１０（３０）では、前記ＯＡＣ信号光により受信した情報をＤＲＡモジュール１２（３２）のＣＰＵ１３３からＥＤＦＡモジュール１１（３１）のＣＰＵ１１４へ伝達する。ＣＰＵ１１４は、スパンロス測定モードの要求を認識することにより、光スイッチ部１１１をＯＮ制御する。
【０１０９】
また、ＣＰＵ１１４は、例えば、前記ＤＲＡ情報と、波長可変光源８０で生成された信号光のパワーレベルに関する情報とを基に、ポストアンプ１１２の利得を決定し、その決定に基づいてポストアンプ１１２の励起光パワーを制御する。なお、波長可変光源８０で生成された信号光のパワーレベルに関する情報は、例えば、ＯＡＤＭ７０の図示しないＣＰＵとのＣＰＵ間通信によって取得することが可能である。
【０１１０】
これにより、ポストアンプ１１２からは、前記決定した利得に応じた出力パワーレベルの１波長分の信号光が送出される〔図４（Ａ）の処理１０１１〕。
【０１１１】
そして、ＤＲＡモジュール１２（３２）のＣＰＵ１３３は、ＰＤ１２２による送信信号光出力パワーレベルのモニタ値（PD1ref）を取得し、これを受信局３０（１０）宛のＯＡＣ信号を用いて光伝送路１００（２００）経由で受信局３０（１０）へ送信する。
【０１１２】
受信局３０では、ＤＲＡモジュール３２（１２）のＣＰＵ１３３において、前記ＯＡＣ信号により通知されたモニタ値（PD1ref）と、ＰＤ１３２により得られる受信信号光の入力パワーレベルのモニタ値（PD3ref）とを取得する。そして、ＣＰＵ１３３は、取得したモニタ値を監視制御装置５０に通知する。
【０１１３】
監視制御装置５０は、通知された前記モニタ値を基に、１波長（信号光波長帯域の中心波長）の信号光を基準にした基準スパンロス（signal span loss reference）を求める。すなわち、監視制御装置５０は、下記の式（５）により、信号光基準スパンロスを算出する。
【０１１４】
信号光基準スパンロス＝PD1ref−PD3ref  …（５）
【０１１５】
この信号光基準スパンロスも、ＤＲＡを停止した状態で測定されるから、ラマン利得の影響が無く、実際のスパンロスと精度良く合致するスパンロスといえる。
【０１１６】
そして、監視制御装置５０は、求めた信号光基準スパンロスを既述のメモリ等に保持する〔図４（Ａ）の処理１０１２〕。
【０１１７】
また、送信局１０（３０）では、既述の実施例と同様に、ＯＡＣ基準スパンロスの測定のために、ＯＡＣ信号光の送信も行なう。その際、受信局３０（１０）では、既述のとおり、スパンロス測定対象の光伝送路１００（２００）へのＤＲＡ（ラマン励起光源１２７）を必要に応じて駆動する。
【０１１８】
そして、送信局１０（３０）は、ＤＲＡモジュール１２（３２）のＣＰＵ１３３において、ＰＤ１２４による送信ＯＡＣ光パワーレベルのモニタ値（PD2ref）を取得する。ＣＰＵ１３３は、取得したモニタ値（PD2ref）を、受信局３０（１０）宛のＯＡＣ信号を用いて光伝送路１００（２００）経由で受信局３０（１０）へ送信する。このモニタ値（PD2ref）は、前記信号光出力パワーレベルのモニタ値（PD1ref）とともに送信してもよいし、個別に送信してもよい。
【０１１９】
受信局３０（１０）では、ＤＲＡモジュール３２（１２）のＣＰＵ１３３において、前記ＯＡＣ信号により通知されたモニタ値（PD2ref）と、ＰＤ１３０により得られる受信ＯＡＣ信号光パワーレベルのモニタ値（PD4ref）とを取得する。そして、ＣＰＵ１３３は、取得したモニタ値を監視制御装置５０に通知する。
【０１２０】
監視制御装置５０は、通知された前記モニタ値を基に、ＯＡＣ基準の基準スパンロス（OAC span loss reference）を前記式（２）により求める。
【０１２１】
そして、監視制御装置５０は、算出したＯＡＣ基準スパンロスを前記メモリ等に保持する〔図４（Ａ）の処理１０１３〕。
【０１２２】
以上の処理により、信号光基準スパンロスと、ＯＡＣ基準スパンロスとが、監視制御装置５０にて保持、管理される。
【０１２３】
（３．２）通常運用時〔図４（Ｂ）〕
次に、システムが通常の運用状態に移行すると、送信局１０（３０）及び受信局３０（１０）は、既述の実施例と同様にして、スパンロスの変動量を、ＯＡＣ信号光を用いて測定する。なお、送信局１０（３０）において、光スイッチ部１１１は、ＯＮ状態に設定されている。
【０１２４】
すなわち、送信局１０（３０）では、ＤＲＡモジュール１２（３２）のＣＰＵ１３３において、ＰＤ１２４による送信ＯＡＣ光パワーレベルのモニタ値（PD2）を取得し、これを受信局３０（１０）宛のＯＡＣ信号を用いて受信局３０（１０）へ送信する。
【０１２５】
受信局３０（１０）では、ＤＲＡモジュール３２（１２）のＣＰＵ１３３において、前記ＯＡＣ信号により通知されたモニタ値（PD2）と、ＰＤ１３０により得られる受信ＯＡＣ信号光パワーレベルのモニタ値（PD4）とを取得する。そして、ＣＰＵ１３３は、取得したモニタ値を監視制御装置５０に通知する。
【０１２６】
監視制御装置５０は、通知されたモニタ値を基に、前記式（３）により、ＯＡＣスパンロスを算出する〔図４（Ｂ）の処理１０１４〕。
【０１２７】
そして、監視制御装置５０は、保持しておいた前記ＯＡＣ基準スパンロスと、求めたＯＡＣスパンロスとの差分（変動量）を求める。本例においても、スパンロスの変動量は、ラマン利得の影響を受けない波長帯域のＯＡＣを用いて測定されるから、ＤＲＡが起動された状態においても、正確な変動量を測定することが可能である。
【０１２８】
監視制御装置５０は、下記の式（６）に示すように、求めた差分を前記信号光基準スパンロスに加算することで、通常運用時の信号波長帯域の中心波長に相当するスパンロスを求める〔図４（Ｂ）の処理１０１５〕。
【０１２９】
スパンロス＝信号光基準スパンロス＋（ＯＡＣスパンロス−ＯＡＣ基準スパンロス）
…（６）
【０１３０】
そして、監視制御装置５０は、必要に応じて、この式（６）により求めたスパンロスや、当該スパンロスの変動量に関する警報情報等を発出する。
【０１３１】
〔４〕実施例３
基準スパンロス測定時のポストアンプ１１２の高出力モード設定は、ポストアンプ１１２の出力光パワーレベル（励起光パワー）を上げる方法のほか、ポストアンプ１１２への入力光パワーを上げる方法もある。ポストアンプ１１２の制御や構成によっては、後者の方法の方が有利な場合もある。
【０１３２】
その一例を図５に示す。この図５は、実施例２（図４）において、ＯＡＤＭ部７０１と波長可変光源８０との間に、波長可変光源８０の出力光パワーレベルを調整する可変光減衰器（ＶＯＡ）７０２を設けた構成に相当する。この構成においては、スパンロス測定モード（高出力モード設定）時において、可変光減衰器（ＶＯＡ）７０２の減衰量を低下制御することで、ポストアンプ１１２への入力光パワーレベルを上げることができる。
【０１３３】
なお、この場合、ＶＯＡ７０２の減衰量は、例えば、ＯＡＤＭ７０における図示しないＣＰＵによって決定、制御される。そのため、受信局３０（１０）から通知されるＤＲＡ情報は、ＥＤＦＡモジュール１１（３１）のＣＰＵ１１４からＯＡＤＭ７０におけるＣＰＵに伝達されるのが好ましい。ただし、ＣＰＵ１１４が、ＶＯＡ７０２の減衰量を制御することとしてもよい。
【０１３４】
以下に、本例でのスパンロス測定を説明する。
【０１３５】
（４．１）初期立上げ時〔図５（Ａ）〕
まず、本例においても、初期立上げ時などにおいて、受信局３０（１０）は、送信局１０（３０）へ向かう対向側のＯＡＣ信号光を用いて、スパンロス測定モードの要求、ＤＲＡ情報などを送信局１０（３０）に送信する。また、受信局３０（１０）は、測定対象の光伝送路１００（２００）へのＤＲＡを停止する。
【０１３６】
送信局１０（３０）では、前記ＯＡＣ信号光により受信した情報をＤＲＡモジュール１２（３２）のＣＰＵ１３３からＥＤＦＡモジュール１１（３１）のＣＰＵ１１４へ伝達する。ＣＰＵ１１４は、スパンロス測定モードの要求を認識することにより、光スイッチ部１１１をＯＮ制御する。
【０１３７】
また、ＣＰＵ１１４は、前記ＤＲＡ情報を、ＯＡＤＭ７０のＣＰＵに通知する。ＯＡＤＭ７０のＣＰＵは、通知されたＤＲＡ情報を基に、ポストアンプ１１２の出力光パワーレベルを決定し、その出力パワーレベルに応じてＶＯＡ７０２の減衰量を制御する。
【０１３８】
これにより、ポストアンプ１１２からは、前記ＶＯＡ７０２の減衰量制御に応じた出力パワーレベルの１波長分の信号光が送出される〔図５（Ａ）の処理１０２１〕。
【０１３９】
そして、ＤＲＡモジュール１２（３２）のＣＰＵ１３３は、ＰＤ１２２による送信信号光出力パワーレベルのモニタ値（PD1ref）を取得し、これを受信局３０（１０）宛のＯＡＣ信号を用いて光伝送路１００（２００）経由で受信局３０（１０）へ送信する。
【０１４０】
受信局３０（１０）では、ＤＲＡモジュール３２（１２）のＣＰＵ１３３において、前記ＯＡＣ信号により通知されたモニタ値（PD1ref）と、ＰＤ１３２により得られる受信信号光の入力パワーレベルのモニタ値（PD3ref）とを取得する。そして、ＣＰＵ１３３は、取得したモニタ値を監視制御装置５０に通知する。
【０１４１】
監視制御装置５０は、通知されたモニタ値を基に、前記式（５）により、１波長（信号光波長帯域の中心波長）の信号光を基準にした基準スパンロス（signal span loss reference）を求める。
【０１４２】
この信号光基準スパンロスも、ＤＲＡを停止した状態で測定されるから、ラマン利得の影響が無く、実際のスパンロスと精度良く合致するスパンロスといえる。
【０１４３】
そして、監視制御装置５０は、求めた信号光基準スパンロスを既述のメモリ等に保持する〔図５（Ａ）の処理１０２２〕。
【０１４４】
また、送信局１０（３０）では、既述の実施例と同様に、ＯＡＣ基準スパンロスの測定のために、ＯＡＣ信号光の送信も行なう。その際、受信局３０（１０）では、既述のとおり、必要に応じてＤＲＡを駆動する。
【０１４５】
受信局３０（１０）では、ＤＲＡモジュール１２（２３）のＣＰＵ１３３において、ＰＤ１２４による送信ＯＡＣ光パワーレベルのモニタ値（PD2ref）を取得する。そして、ＣＰＵ１３３は、取得したモニタ値（PD2ref）を、受信局３０（１０）宛のＯＡＣ信号を用いて光伝送路１００（２００）経由で受信局３０（１０）へ送信する。このモニタ値（PD2ref）は、前記信号光出力パワーレベルのモニタ値（PD1ref）とともに送信してもよいし、個別に送信してもよい。
【０１４６】
受信局３０（１０）では、ＤＲＡモジュール３２（１２）のＣＰＵ１３３において、前記ＯＡＣ信号により通知されたモニタ値（PD2ref）と、ＰＤ１３０により得られる受信ＯＡＣ信号光パワーレベルのモニタ値（PD4ref）とを取得する。そして、ＣＰＵ１３３は、取得したモニタ値を監視制御装置５０に通知する。
【０１４７】
監視制御装置５０は、通知されたモニタ値を基に、ＯＡＣ基準の基準スパンロス（OAC span loss reference）を前記式（２）により求める。
【０１４８】
そして、監視制御装置５０は、求めたＯＡＣ基準スパンロスを前記メモリ等に保持する〔図５（Ａ）の処理１０２３〕。
【０１４９】
以上の処理により、信号光基準スパンロスと、ＯＡＣ基準スパンロスとが、監視制御装置５０にて保持、管理される。
【０１５０】
（４．２）通常運用時〔図５（Ｂ）〕
次に、システムが通常運用に移行すると、受信局３０（１０）は、例えばＣＰＵ１３３の指示により、光伝送路１００（２００）へのラマン励起光源１２７をＯＮ状態に制御してＤＲＡを起動する。なお、送信局１０（３０）において、光スイッチ部１１１は、ＯＮ状態のままである。また、ＯＡＤＭ７０は、ＶＯＡ７０２の減衰量を通常運用時の減衰量に設定する。なお、図５（Ｂ）において、ＶＯＡ７０２を不図示としているのがこの意味を表している。
【０１５１】
そして、送信局１０（３０）及び受信局３０（１０）は、実施例１，２と同様にして、スパンロスの変動量を、ＯＡＣ信号光を用いて測定する。
【０１５２】
すなわち、送信局１０（３０）では、ＤＲＡモジュール１２（３２）のＣＰＵ１３３において、ＰＤ１２４による送信ＯＡＣ光パワーレベルのモニタ値（PD2）を取得し、これを受信局３０（１０）宛のＯＡＣ信号を用いて光伝送路１００（２００）経由で受信局３０（１０）へ送信する。
【０１５３】
受信局３０（１０）では、ＤＲＡモジュール３２（１２）のＣＰＵ１３３において、前記ＯＡＣ信号により通知されたモニタ値（PD2）と、ＰＤ１３０により得られる受信ＯＡＣ信号光パワーレベルのモニタ値（PD4）とを取得する。そして、ＣＰＵ１３３は、取得したモニタ値を監視制御装置５０に通知する。
【０１５４】
監視制御装置５０は、通知されたモニタ値を基に、前記式（３）により、ＯＡＣスパンロスの変動量を算出する〔図５（Ｂ）の処理１０２４〕。本例においても、前記変動量は、ラマン利得の影響を受けない波長帯域のＯＡＣを用いて測定されるから、ＤＲＡが起動された後の通常運用時においても、正確な変動量を測定することが可能である。
【０１５５】
そして、監視制御装置５０は、保持しておいた前記ＯＡＣ基準スパンロスと、算出したＯＡＣスパンロスとの差分（変動量）を求め、前記式（６）により、その差分を前記信号光基準スパンロスに加算する。これにより、通常運用時の信号波長帯域の中心波長に相当するスパンロスが求められる〔図５（Ｂ）の処理１０２５〕。
【０１５６】
そして、監視制御装置５０は、必要に応じて、式（６）により求めたスパンロスや、当該スパンロスの変動量に関する警報情報等を発出する。
【０１５７】
〔５〕実施例４
基準スパンロス測定時の高出力モード設定において、ポストアンプ１１２の出力光パワーレベルを上げるための他の手段として、ポストアンプ１１２用の励起光源を追加することも考えられる。その一例を図６に示す。
【０１５８】
この図６では、送信局１０（３０）のＥＤＦＡモジュール１１（３１）において、既述の光スイッチ部１１１に替えて、２入力１出力（２×１）光スイッチ部１１６がそなえられる。また、信号波長帯域の中心波長又はその近傍に相当する波長の励起光を生成する励起光源１１５が設けられる。この励起光源１１５は、例えばレーザダイオード（ＬＤ）である。
【０１５９】
この励起光源１１５で生成された励起光は、２×１光スイッチ部１１６の一方の入力ポートに入力される。なお、２×１光スイッチ部１１６の他方の入力ポートには、通常運用時にポストアンプ１１２に入力される主信号光が入力される。
【０１６０】
ＣＰＵ１１４は、基準スパンロス測定時の高出力モード設定において、励起光源１１５を駆動するとともに、光スイッチ部１１６の入力を励起光源１１５側に切り替える。これにより、ポストアンプ１１２に励起光源１１５の励起光が追加的に入力されて励起光パワーが増加し、ポストアンプ１１２のＡＳＥ光の出力光パワーレベルを増大させることができる。なお、励起光源１１５は、２以上追加することもできる。
【０１６１】
このように、ポストアンプ１１２を高出力モードで動作させるためには、安価な励起光源を複数用いる方が、コスト的に有利な場合がある。
【０１６２】
以下に、本例でのスパンロス測定を説明する。
【０１６３】
（５．１）初期立上げ時〔図６（Ａ）〕
まず、本例においても、初期立上げ時などにおいて、受信局３０（１０）は、送信局１０（３０）へ向かう対向側のＯＡＣ信号光を用いて、スパンロス測定モードの要求、ＤＲＡ情報などを送信局１０（３０）に送信する。また、受信局３０（１０）は、測定対象の光伝送路１００（２００）へのＤＲＡを停止する。
【０１６４】
送信局１０（３０）では、前記ＯＡＣ信号光により受信した情報をＤＲＡモジュール１２（３２）のＣＰＵ１３３からＥＤＦＡモジュール１１（３１）のＣＰＵ１１４へ伝達する。ＣＰＵ１１４は、スパンロス測定モードの要求を認識することにより、２×１光スイッチ部１１６の入力を励起光源１１５側に設定する。
【０１６５】
また、ＣＰＵ１１４は、実施例１と同様に、前記ＤＲＡ情報を基に、信号光波長帯域の中心波長の波長に相当するＡＳＥ光の出力パワーレベルを決定し、その決定に基づいてポストアンプ１１２の励起光パワー（励起光源１１５の励起光パワーを含む）を制御する。これにより、ポストアンプ１１２から前記決定した出力パワーレベルのＡＳＥ光が送出される〔図６（Ａ）の処理１０３１〕。
【０１６６】
そして、ＤＲＡモジュール１２（３２）のＣＰＵ１３３は、ＰＤ１２２による送信信号光出力パワーレベルのモニタ値（PD1ref）を取得し、これを受信局３０（１０）宛のＯＡＣ信号を用いて光伝送路１００（２００）経由で受信局３０（１０）へ送信する。
【０１６７】
受信局３０（１０）では、ＤＲＡモジュール３２（１２）のＣＰＵ１３３において、前記ＯＡＣ信号により通知されたモニタ値（PD1ref）と、ＰＤ１３２により得られる受信信号光の入力パワーレベルのモニタ値（PD3ref）とを取得する。そして、ＣＰＵ１３３は、取得したモニタ値を監視制御装置５０へ通知する。
【０１６８】
監視制御装置５０は、通知されたモニタ値の差分、すなわち、ＡＳＥ基準スパンロス（signal span loss reference）を求める。
【０１６９】
この信号光基準スパンロスも、ＤＲＡを停止した状態で測定されるから、ラマン利得の影響が無く、実際のスパンロスと精度良く合致するスパンロスといえる。
【０１７０】
そして、監視制御装置５０は、求めた信号光基準スパンロスを既述のメモリ等に保持する〔図６（Ａ）の処理１０３２〕。
【０１７１】
また、送信局１０（３０）では、既述の実施例と同様に、ＯＡＣ基準スパンロスの測定のために、ＯＡＣ信号光の送信も行なう。その際、既述のとおり、受信局３０（１０）では、必要に応じてＤＲＡ（ラマン励起光源１２７）を駆動する。
【０１７２】
そして、送信局１０（３０）では、ＤＲＡモジュール１２（３２）のＣＰＵ１３３において、ＰＤ１２４による送信ＯＡＣ光パワーレベルのモニタ値（PD2ref）を取得する。ＣＰＵ１３３は、取得したモニタ値（PD2ref）を、受信局３０（１０）宛のＯＡＣ信号を用いて光伝送路１００（２００）経由で受信局３０（１０）へ送信する。このモニタ値（PD2ref）は、前記信号光出力パワーレベルのモニタ値（PD1ref）とともに送信してもよいし、個別に送信してもよい。
【０１７３】
受信局３０では、ＤＲＡモジュール３２（１２）のＣＰＵ１３３において、前記ＯＡＣ信号により通知されたモニタ値（PD2ref）と、ＰＤ１３０により得られる受信ＯＡＣ信号光パワーレベルのモニタ値（PD4ref）とを取得する。ＣＰＵ１３３は、取得したモニタ値を監視制御装置５０に通知する。
【０１７４】
監視制御装置５０は、通知されたモニタ値の差分、すなわち、ＯＡＣ基準スパンロス（OAC span loss reference）を求める。
【０１７５】
そして、監視制御装置５０は、求めたＯＡＣ基準スパンロスを前記メモリ等に保持する〔図６（Ａ）の処理１０３３〕。
【０１７６】
以上の処理により、ＡＳＥ基準スパンロスと、ＯＡＣ基準スパンロスとが、監視制御装置５０にて保持、管理される。
【０１７７】
（５．２）通常運用時〔図６（Ｂ）〕
次に、システムが通常の運用状態に移行すると、送信局１０（３０）では、ＥＤＦＡモジュール１１（３１）のＣＰＵ１１４が、２×１光スイッチ部１１６の入力を主信号光側へ切り替える。
【０１７８】
そして、送信局１０（３０）及び受信局３０（１０）は、既述の実施例と同様にして、スパンロスの変動量を、ＯＡＣ信号光を用いて測定する。
【０１７９】
すなわち、送信局１０（３０）では、ＤＲＡモジュール１２（３２）のＣＰＵ１３３において、ＰＤ１２４による送信ＯＡＣ光パワーレベルのモニタ値（PD2）を取得し、これを受信局３０（１０）宛のＯＡＣ信号を用いて受信局３０（１０）へ送信する。
【０１８０】
受信局３０（１０）では、ＤＲＡモジュール３２（１２）のＣＰＵ１３３において、前記ＯＡＣ信号により通知されたモニタ値（PD2）と、ＰＤ１３０により得られる受信ＯＡＣ信号光パワーレベルのモニタ値（PD4）とを取得する。ＣＰＵ１３３は、取得したモニタ値を監視制御装置５０に通知する。
【０１８１】
監視制御装置５０は、通知されたモニタ値を基に、前記式（３）により、ＯＡＣスパンロスを算出する〔図６（Ｂ）の処理１０３４〕。
【０１８２】
そして、監視制御装置５０は、保持しておいた前記ＯＡＣ基準スパンロスと、求めたＯＡＣスパンロスとの差分（変動量）を求める。本例においても、スパンロスの変動量は、ラマン利得の影響を受けない波長帯域のＯＡＣを用いて測定されるから、ＤＲＡが起動された後の通常運用時においても、正確な変動量を測定することが可能である。
【０１８３】
監視制御装置５０は、求めた差分を前記信号光基準スパンロスに加算することで、通常運用時の信号波長帯域の中心波長に相当するスパンロスを求める〔図６（Ｂ）の処理１０３５〕。
【０１８４】
そして、監視制御装置５０は、必要に応じて、求めたスパンロスや、当該スパンロスの変動量に関する警報情報等を発出する。
【０１８５】
〔６〕その他
以上の実施例１〜４を含む実施形態においては、光伝送路１００（２００）の出力側からラマン励起光を導入する後方励起構成でのスパンロス測定方法について例示したが、前方励起構成や双方向励起構成においても、上述した実施形態と同様の手法によりスパンロス測定を実施することが可能である。すなわち、基準スパンロスを測定する際には、ＤＲＡを停止し、その停止によるラマン利得低下量に応じて測定に用いる光の送信光パワーを増加制御すればよい。
【０１８６】
以上の項目〔１〕〜〔６〕により上述した実施形態に関し、さらに以下の付記を開示する。
【０１８７】
〔７〕付記
（付記１）
光伝送路にラマン利得を与えるラマン増幅器と、
前記光伝送路において前記ラマン利得を受ける第１の光と前記ラマン利得を受けない第２の光とを前記光伝送路へ送信する送信手段と、
前記ラマン増幅器を停止するとともに、前記第１の光の送信光パワーを前記ラマン利得に応じて増加制御する制御手段と、
前記光伝送路の損失特性の基準を求めるのに用いられる、前記第１の光に関する前記光伝送路の入出力光パワーを、前記ラマン増幅器が停止された状態で測定する第１の測定手段と、
前記基準の変動量を求めるのに用いられる、前記第２の光に関する前記光伝送路の入出力光パワーを測定する第２の測定手段と、
をそなえたことを特徴とする、光通信システム。
【０１８８】
（付記２）
前記第１及び第２の測定手段で得られた測定結果に基づいて、前記光伝送路の損失特性を監視する監視手段、
をさらにそなえたことを特徴とする、付記１記載の光通信システム。
【０１８９】
（付記３）
前記第１の光は、前記光伝送路における信号光波長帯域の中心波長を含む帯域の光であり、
前記第２の光は、前記信号光波長帯域よりも長波長側の帯域の光である、ことを特徴とする、付記１又は２に記載の光通信システム。
【０１９０】
（付記４）
前記第１の光は、前記光増幅器に信号光を入力しない状態で前記光増幅器から出力される自然放出光である、ことを特徴とする、付記３記載の光通信システム。
【０１９１】
（付記５）
前記第１の光は、前記光伝送路における信号光波長帯域の中心波長又はその近傍の波長の信号光である、ことを特徴とする、付記３記載の光通信システム。
【０１９２】
（付記６）
前記長波長側の帯域の光は、前記ラマン利得に関する情報を伝送するのに用いられる波長の光である、ことを特徴とする、付記３記載の光通信システム。
【０１９３】
（付記７）
光伝送路にラマン利得を与えるラマン増幅器をそなえた光通信システムにおける光伝送路の測定方法であって、
前記光伝送路において前記ラマン利得を受ける第１の光と前記ラマン利得を受けない第２の光とを前記光伝送路へ送信する過程と、
前記ラマン増幅器を停止するとともに、前記第１の光の送信光パワーを前記ラマン利得に応じて増加制御する過程と、
前記光伝送路の損失特性の基準を求めるのに用いられる、前記第１の光に関する前記光伝送路の入出力光パワーを、前記ラマン増幅器が停止された状態で測定する過程と、
前記基準の変動量を求めるのに用いられる、前記第２の光に関する前記光伝送路の入出力光パワーを測定する過程と、
を有することを特徴とする、光通信システムにおける光伝送路の測定方法。
【０１９４】
（付記８）
前記各測定の結果に基づいて、前記光伝送路の損失特性を監視する過程をさらに有することを特徴とする、付記７記載の光通信システムにおける光伝送路の測定方法。
【０１９５】
（付記９）
送信局としての光伝送装置から光伝送路を介して受信局としての光伝送装置へ光を伝送する光通信システムにおける前記送信局であって、
前記光伝送路においてラマン増幅器によるラマン利得を受ける第１の光と前記ラマン利得を受けない第２の光とを前記光伝送路へ送信する送信手段と、
前記ラマン増幅器が停止制御されるのに伴って、前記第１の光の送信光パワーを前記ラマン利得に応じて増加制御する制御手段と、
前記光伝送路の損失特性の基準を求めるのに用いられる、前記第１の光に関する前記光伝送路への入力光パワーを、前記ラマン増幅器が停止された状態で測定する第１の送信光測定手段と、
前記基準の変動量を求めるのに用いられる、前記第２の光に関する前記光伝送路への入力光パワーを測定する第２の送信光測定手段と、
をそなえたことを、特徴とする、送信局。
【０１９６】
（付記１０）
前記各送信光測定手段による測定結果を前記受信局へ通知する通知手段、をさらにそなえたことを特徴とする、付記９記載の送信局。
【０１９７】
（付記１１）
前記制御手段は、
自局のラマン増幅器の有無に関する情報、又は、前記受信局から通知されるラマン増幅器の有無に関する情報に基づいて、前記増加制御の要否を判断する、ことを特徴とする、付記９又は１０に記載の送信局。
【０１９８】
（付記１２）
前記制御手段は、
前記自局のラマン増幅器のラマン利得に関する情報、又は、前記受信局から通知されるラマン増幅器のラマン利得に関する情報を基に、前記増加制御の量を決定する、ことを特徴とする、付記１１記載の送信局。
【０１９９】
（付記１３）
前記制御手段による前記増加制御は、前記第１の光を増幅する光増幅器の励起光パワーを増加する制御である、ことを特徴とする、付記９〜１２のいずれか１項に記載の送信局。
【０２００】
（付記１４）
前記制御手段による前記増加制御は、前記第１の光を増幅する光増幅器への入力光パワーを増加する制御である、ことを特徴とする、付記９〜１２のいずれか１項に記載の送信局。
【０２０１】
（付記１５）
前記励起光パワーを増加する制御は、前記第１の光を生成する光源の出力光を前記第１の光を増幅する光増幅器の励起光として追加的に前記光増幅器に入力する制御である、ことを特徴とする、付記１３記載の送信局。
【０２０２】
（付記１６）
送信局としての光伝送装置から光伝送路を介して受信局としての光伝送装置へ光を伝送する光通信システムにおける前記受信局であって、
前記光伝送路にラマン利得を与えるラマン増幅器と、
前記ラマン増幅器を停止制御する制御手段と、
前記光伝送路において前記ラマン利得を受ける第１の光と前記ラマン利得を受けない第２の光とを前記送信局から受信する受信手段と、
前記光伝送路の損失特性の基準を求めるのに用いられる、前記第１の光に関する前記光伝送路の出力光パワーを、前記停止制御に伴って前記送信局が前記第１の光の送信光パワーを増大制御し、かつ、前記ラマン増幅器が停止された状態で測定する第１の受信光測定手段と、
前記基準の変動量を求めるのに用いられる、前記第２の光に関する前記光伝送路の出力光パワーを測定する第２の受信光測定手段と、
をそなえたことを特徴とする、受信局。
【０２０３】
（付記１７）
前記各受信光測定手段で得られた測定結果を、前記光伝送路の損失特性を監視する監視装置へ通知する測定結果通知手段、をさらにそなえたことを特徴とする、付記１６記載の受信局。
【０２０４】
（付記１８）
前記測定結果通知手段は、
前記送信局で測定され前記送信局から通知された、前記第１の光及び第２の光の前記光伝送路への入力光パワーを、前記監視装置へ通知する、ことを特徴とする、付記１７記載の受信局。
【図面の簡単な説明】
【０２０５】
【図１】信号光波長帯域、ラマン励起光、ＯＳＣ及びＯＡＣの関係を例示する模式図である。
【図２】実施例１に係る光通信システムの一例を示すブロック図である。
【図３】図２に示す光通信システムにおけるスパンロス測定方法を説明する図であり、（Ａ）は初期立上げ時、（Ｂ）は通常運用時の測定方法をそれぞれ説明する図である。
【図４】実施例２に係る光通信システムにおけるスパンロス測定方法を説明する図であり、（Ａ）は初期立上げ時、（Ｂ）は通常運用時の測定方法をそれぞれ説明する図である。
【図５】実施例３に係る光通信システムにおけるスパンロス測定方法を説明する図であり、（Ａ）は初期立上げ時、（Ｂ）は通常運用時の測定方法をそれぞれ説明する図である。
【図６】実施例４に係る光通信システムにおけるスパンロス測定方法を説明する図であり、（Ａ）は初期立上げ時、（Ｂ）は通常運用時の測定方法をそれぞれ説明する図である。
【符号の説明】
【０２０６】
１０，３０  光伝送装置（送信局、受信局）
１１，３１  ＥＤＦＡモジュール
１１１  光スイッチ部
１１２  ポストアンプ（光増幅器）
１１３  プリアンプ（光増幅器）
１１４  ＣＰＵ
１２，３２  ＤＲＡモジュール
１２１，１２３，１２９，１３１  光カプラ（分岐カプラ）
１２２，１２４，１３０，１３２  受光器（ＰＤ）
１２４  受光器（ＰＤ）
１２５，１２６  光カプラ（合波カプラ）
１２７  ラマン励起光源（ＬＤ）
１２８  光カプラ（分波カプラ）
１３３  ＣＰＵ
５０  監視制御装置
【図１】
0005211800.tif 000002
【図２】
0005211800.tif 000003
【図３】
0005211800.tif 000004
【図４】
0005211800.tif 000005
【図５】
0005211800.tif 000006
【図６】
0005211800.tif 000007